(57)【要約】      （修正有）【課題】メガネを装着した状態では、必要に応じてマスクが顔面に触れないようにして、息がし易く、暑苦しくなく、化粧をしている女性の場合には化粧崩れの発生を防ぐことができるマスクを提供する。【解決手段】マスク１は、メガネ１００を掛けながら装着し、使用者の鼻と口を覆う覆い部２０と、メガネ１００の右側のつる１０６に装着され覆い部２０の右側の部分に連続されている板状の第１装着部１１と、メガネ１００の左側のつる１０７に装着され覆い部２０の左側の部分に連続されている板状の第２装着部１２を備え、第１装着部１１は右側のつる１０６に沿って移動可能に装着され、かつ第２装着部１２は左側のつる１０７に沿って移動可能に装着されており、第１装着部１１と第２装着部１２を右側のつる１０６と左側のつる１０７に沿って移動させることで、覆い部２０が鼻と口を覆う通常使用状態と、覆い部２０を鼻と口から離す待機使用状態と、を得る。【選択図】図３
0003227832.tif 000002
【実用新案登録請求の範囲】
【請求項１】
メガネを掛けながら装着するマスクであって、
使用者の鼻と口を覆う覆い部と、
前記メガネの右側のつるに装着され前記覆い部の右側の部分に連続されている板状の第１装着部と、前記メガネの左側のつるに装着され前記覆い部の左側の部分に連続されている板状の第２装着部と、
を備え、
前記第１装着部は前記右側のつるに沿って移動可能に装着され、かつ前記第２装着部は前記左側のつるに沿って移動可能に装着されており、前記第１装着部と前記第２装着部を前記右側のつると前記左側のつるに沿って移動させることで、前記覆い部が前記鼻と前記口を覆う通常使用状態と、前記覆い部を前記鼻と前記口から離す待機使用状態と、を得る構成とされたことを特徴とするマスク。
【請求項２】
前記第１装着部と前記第２装着部と前記覆い部の材質と同じで作られていることを特徴とする請求項１に記載のマスク。
【請求項３】
前記第１装着部と前記第２装着部の材質は、前記覆い部の材質に比べて硬質であることを特徴とする請求項１に記載のマスク。
【請求項４】
前記第１装着部は、前記右側のつるを通して前記右側のつるに沿って移動可能な第１つる通し部を有し、前記第２装着部は、前記左側のつるを通して前記左側のつるに沿って移動可能な第２つる通し部を有することを特徴とする請求項１〜３のいずれか１項に記載のマスク。
【請求項５】
前記第１装着部と前記第２装着部と前記覆い部は、和紙で作られていることを特徴とする請求項１〜４のいずれか１項に記載のマスク。
【請求項６】
前記第１装着部と前記第２装着部と前記覆い部は、折り目により折り畳み可能であることを特徴とする請求項１〜５のいずれか１項に記載のマスク。
【請求項７】
前記覆い部には貫通通気部が形成されており、前記覆い部の内側には貫通通気部を覆う内側通気性部材が係止されており、前記第１装着部と前記第２装着部と前記覆い部は、貫通ミシン目により折り畳み可能であることを特徴とする請求項１〜５のいずれか１項に記載のマスク。
【考案の詳細な説明】
【技術分野】
【０００１】
本考案は、使用者がメガネを掛けながら快適に装着することができるマスクに関する。
【背景技術】
【０００２】
使用者が、メガネを掛けながら通常のマスクを装着する場合には、メガネの両方のつるの部分を両耳に掛けるとともに、マスクの両方の耳掛け紐を両耳に直接掛ける。このため、両耳には、メガネのつるの部分とマスクの耳掛け紐の両方が一度に掛かるので、耳が痛くなってしまう。特に、使用者がメガネとマスクを長時間使用する場合には、何度もメガネを外したり、マスクを外すことで、苦痛を和らげる必要がある。
【０００３】
このような不都合を防ぐために、特許文献１には耳が痛くなってしまうのを防ぐマスク掛け部つきメガネが開示されている。このメガネでは、通常のガーゼ等の柔らかい材質のマスクを使用する際に、マスクの耳掛け紐を耳には掛けないで、マスクの耳掛け紐をメガネのつるの部分に設けた係止部に装着できるようになっている。マスクの耳掛け紐は、メガネのつるの部分の係止部に固定されている。
【先行技術文献】
【特許文献】
【０００４】
【特許文献１】特開２０１５−６４５４０号公報
【考案の概要】
【考案が解決しようとする課題】
【０００５】
ところが、特許文献１に記載のメガネを使用すると、メガネを装着した状態では、マスクは、常に使用者の顔面を密着状態で覆って顔面に触れたままである。このため、息がし難く、暑苦しく、化粧をしている女性の場合には化粧崩れが生じる。
【０００６】
本考案は、前記課題を解決するためになされたものであり、メガネを装着した状態では、使用者の耳が痛くならず、必要に応じてマスクが顔面に触れないようにして、息がし易く、暑苦しくなく、化粧をしている女性の場合には化粧崩れの発生を防ぐことができるマスクを提供することを目的とする。
【課題を解決するための手段】
【０００７】
前記課題を解決するために、本考案の第１の態様のマスクは、メガネを掛けながら装着するマスクであって、使用者の鼻と口を覆う覆い部と、前記メガネの右側のつるに装着され前記覆い部の右側の部分に連続されている板状の第１装着部と、前記メガネの左側のつるに装着され前記覆い部の左側の部分に連続されている板状の第２装着部と、を備え、前記第１装着部は前記右側のつるに沿って移動可能に装着され、かつ前記第２装着部は前記左側のつるに沿って移動可能に装着されており、前記第１装着部と前記第２装着部を前記右側のつると前記左側のつるに沿って移動させることで、前記覆い部が前記鼻と前記口を覆う通常使用状態と、前記覆い部を前記鼻と前記口から離す待機使用状態と、を得る構成とされたことを特徴とする。
【０００８】
前記構成によれば、メガネを装着した状態でマスクを装着しても、マスクはメガネのつるに対して保持されていて、マスクは耳には直接掛かっていないので、マスクをメガネと同時に装着しても、使用者の耳が痛くならない。しかも、マスクは、使用者が必要に応じて、通常使用状態から待機使用状態に変えることで、マスクが顔面に触れないようにすることができ、息がし易く、暑苦しくなく、化粧をしている女性の場合には化粧崩れの発生を防ぐことができる。
【０００９】
また、本考案の第２の態様のマスクは、前記第１装着部および前記第２装着部が前記覆い部の材質と同じ材質で作られていることを特徴とする。
【００１０】
前記構成によれば、マスク全体を同じ材質で作ることにより、マスクの製造が容易であり、製造のコストダウンが図れる。
【００１１】
また、本考案の第３の態様のマスクは、、前記第１装着部および前記第２装着部の材質は、前記覆い部の材質に比べて硬質であることを特徴とする。
【００１２】
前記構成によれば、覆い部の材質と、第１装着部と第２装着部の材質を変えることで、第１装着部と第２装着部は、覆い部のメガネに対する位置を確実に保持でき、しかも覆い部は使用者の鼻や口に対してやさしい材質を採用でき、マスクの使用感を向上できる。
【００１３】
また、本考案の第４の態様のマスクは、前記第１装着部は、前記右側のつるを通して前記右側のつるに沿って移動可能な第１つる通し部を有し、前記第２装着部は、前記左側のつるを通して前記左側のつるに沿って移動可能な第２つる通し部を有することを特徴とする。
【００１４】
前記構成によれば、マスクは、メガネの左右のつるを利用してメガネに対して移動可能に保持することができ、マスクは直接耳に保持しなくて済み、メガネとマスクを長時間同時使用しても、耳が痛くなることを避けることができる。
【００１５】
また、本考案の第５の態様のマスクは、前記第１装着部と前記第２装着部と前記覆い部は、和紙で作られていることを特徴とする。
【００１６】
前記構成によれば、マスクが強度的に丈夫になり、マスクの立体構造の型崩れが起こりにくいことから、マスクが使用し易い。マスクは湿気に強く、型崩れがしにくい。しかも、マスクは通気性があり、鼻や口からの息によりメガネのレンズの曇りが起こりにくい。
【００１７】
また、本考案の第６の態様のマスクは、前記第１装着部と前記第２装着部と前記覆い部は、折り目により折り畳み可能であることを特徴とする。
【００１８】
前記構成によれば、マスクは、折り目を利用してコンパクトに折り畳むことができ、複数枚のマスクをコンパクトに包装できる。
【００１９】
また、本考案の第７の態様のマスクは、前記覆い部には貫通通気部が形成されており、前記覆い部の内側には貫通通気部を覆う内側通気性部材が係止されており、前記第１装着部と前記第２装着部と前記覆い部は、貫通ミシン目により折り畳み可能であることを特徴とする。
【００２０】
前記構成によれば、厚い素材によって形成することができ、内側通気性部材を交換利用することができる。
【考案の効果】
【００２１】
本考案によれば、メガネを装着した状態では、必要に応じてマスクが顔面に触れないようにして、息がし易く、暑苦しくなく、化粧をしている女性の場合には化粧崩れの発生を防ぐことができるマスクを提供することができる。
【図面の簡単な説明】
【００２２】
【図１】本考案の第１実施形態のマスクを、使用者がメガネを利用して装着している例を示す斜視図
【図２】図１に示すマスクを、使用者がメガネを利用して装着している例を示す正面図
【図３】マスクと、このマスクを装着しているメガネの例を示す斜視図
【図４】マスクの展開図
【図５】マスクを折り畳んだ状態を示す正面図
【図６】使用者Ｍがメガネを掛けながらもマスクを快適に装着している様子を示す斜め上から見た斜視図
【図７】使用者Ｍがメガネを掛けながらもマスクを快適に装着している様子を示す側面図
【図８】本考案の第２実施形態のマスクの分解状態を示す展開図
【図９】本考案の第２実施形態のマスクの組立状態を示す展開図
【考案を実施するための形態】
【００２３】
以下に、本考案のマスクの好ましい実施形態を、図面を参照しながら詳しく説明する。
【００２４】
≪第１実施形態≫
図１は、本考案の第１実施形態のマスクを、使用者がメガネを利用して装着している例を示す斜視図である。図２は、図１に示すマスク１を、使用者Ｍがメガネ１００を利用して装着している例を示す正面図である。図３は、マスク１と、このマスク１を装着しているメガネ１００の例を示す斜視図である。
【００２５】
（マスク１の概要）
図１と図２に示すマスク１は、使用者Ｍがメガネ１００を掛けながらも、快適に装着することができる構造を有している。マスク１は、メガネ１００を装着した状態でも、使用者Ｍの両方の耳Eが痛くならず、必要に応じてマスク１が顔面に触れないようにすることができ、息がし易く、暑苦しくなく、化粧をしている女性の場合には化粧崩れの発生を防ぐことができるものである。
【００２６】
（メガネ１の構造例）
まず、マスク１の構造例を説明する前に、使用者Ｍが掛けているメガネ１００の構造例を説明する。このメガネ１００は、図１から図３に例示するように、例えばプラスチック製であり、右リム１０１と左リム１０２と、右レンズ１０３と左レンズ１０４と、ブリッジ１０５と、右側のつる（テンプル）１０６と左側のつる（テンプル）１０７と、右丁番１０８と左丁番１０９と、右パッド１１０と左パッド１１１と、を有する。しかし、使用できるメガネ１００の構造は、図示例に限らず、プラスチック製の他に、金属製等のものであっても良く、形状は任意に選択できる。
【００２７】
（マスク１の詳しい説明）
図１から図３に示すマスク１は、天然繊維、化学繊維の織編物または、和紙等を含む不織布等を主な材料としている。このマスク１は、使用者Ｍの口と鼻を覆う形状を有し、花粉やほこり等の微粒子が体内に侵入するのを抑制し、かぜ等のせきやくしゃみの飛沫の飛散を抑制することを目的として使用される。マスク１には、日常よく使うかぜ予防用のマスクや花粉症用の不織布マスク、捕集効率の高い医療用のサージカルマスクや、感染者の隔離病棟で使用される感染予防用のマスク、さらに防毒マスク等がある。本考案のマスク１は、これら各種の用途に適用できるものである。
【００２８】
マスク１の材質（素材）としては、軽量な和紙などの紙を含む不織布、プラスチック板等を用いることができる。不織布とは、繊維を織らない布であって、繊維同士が色々な方法で結合されたシート状の部材であり、繊維が緻密なものから比較的隙間のあるものまで、用途に応じて厚みや柔らかさ等を自由に作ることができる。
【００２９】
マスク１の形状としては、使用者Ｍの顔の形状に応じたプリーツ型や立体型を採用できる。プリーツ型のマスクは、平面状態から上下に開くことで顔のラインに沿った形状にすることで、口元が広々として呼吸が容易なものである。また、立体型のマスクは、顔面のラインに沿った形状をあらかじめ有しているものである。いずれにしても、マスク１は、通常使用状態では、顔面の鼻と口を覆うようにして密着できるようになっている。
【００３０】
図１から図３に例示するマスク１は、使用者Ｍの顔面のラインに沿った立体形状を保持できるものであり、例えば１枚の不織布で形成したり、複数枚の不織布を積層して形成したり、通気性を有するプラスチック板で形成したり、不織布と通気性を有するプラスチック板とを積層して形成することもできる。
【００３１】
（マスク１の構造例）
図１から図３に示すように、マスク１は、メガネ１００を掛けなら装着することができる。このマスク１は、メガネ１００を装着した状態では、使用者Ｍの両方の耳Ｅが痛くならず、必要に応じてマスク１が顔面に触れないようにすることができ、息がし易く、暑苦しくなく、化粧をしている女性の場合には化粧崩れの発生を防ぐことができる。
【００３２】
図１から図３に示すマスク１は、いわゆる立体型のマスクであり、例えば好ましくは和紙により作られている。このマスク１は、使用者Ｍから見て右側の第１装着部１１と、使用者Ｍから見て左側の第２装着部１２と、中央の覆い部２０とを有する。マスク１は、例えば所定の厚みを有する１枚の和紙を型抜きしたり、裁断することにより、図４に例示するように一体型に作られている。図４は、マスク１の展開図であり、図５は、マスク１を小さく折り畳んだ状態を示す図である。マスク１の色は、素材のそのままの色、あるいは素材に対して白や黒、あるいはその他の色を着色しても良い。あるいはマスク１の表面には、必要に応じて任意の模様やマーク等の意匠を施すことができる。
【００３３】
＜第１装着部１１と第２装着部１２＞
図３と図４に示すように、マスク１の第１装着部１１と第２装着部１２は、左右対称形状を有している。第１装着部１１と第２装着部１２は、所定の形状に形成されている板状の部材であり、第１装着部１１と第２装着部１２の材質は、覆い部２０をメガネ１００の右側のつる１０６と左側のつる１０７に対して、使用者Ｍの鼻と口を覆うことができる形状を保持できる硬さと強度を有している。
【００３４】
図４に示すように、第１装着部１１は、図３に示す右側のつる１０６に沿って移動可能に装着される。この第１装着部１１は、後端部１１Ｂに第１つる通し部１３を有する。図３に示すように、第１つる通し部１３は、中に右側のつる１０６を通して右側のつる１０６に沿ってＹ方向に移動可能である。同様にして、図４に示すように、第２装着部１２は、図１に示す左側のつる１０７に沿って移動可能に装着される。この第２装着部１２は、後端部１２Ｂに第２つる通し部１４を有する。図１に示すように、第２つる通し部１４は、中に左側のつる１０７を通して左側のつる１０７に沿ってＹ方向に移動可能である。このＹ方向とは、使用者Ｍがメガネ１００を装着している場合に、使用者Ｍの顔の前後方向である。
【００３５】
これらの第１つる通し部１３と第２つる通し部１４は、左右のつる１０６，１０７を内部に通すことができる筒状の部分である。第１つる通し部１３と第２つる通し部１４のサイズは、使用するメガネ１００の左右のつる１０６，１０７のサイズの大小を考慮して、想定される右のつる１０６，１０７のサイズよりもやや大きめに設定されている。これにより、メガネの種類や形式に関わらずに、マスク１はメガネ１００に対して簡単に装着しいたり、外したりすることができ、マスク１の使用勝手が向上する。
【００３６】
第１装着部１１は、上縁部分１１Ｃと下縁部分１１Ｄを有している。上縁部分１１Ｃと下縁部分１１Ｄはほぼ平行に形成されている。同様にして、第２装着部１２は、上縁部分１２Ｃと下縁部分１２Ｄを有している。上縁部分１２Ｃと下縁部分１２Ｄはほぼ平行に形成されている。
【００３７】
第１装着部１１の前端部１１Ｆは、覆い部２０の右端部２１に対して連続して形成されており、前端部１１Ｆと右端部２１の間には、直線状の折り目３１が形成されている。第２装着部１２の前端部１２Ｆは、覆い部２０の左端部２２に対して連続して形成されており、前端部１２Ｆと左端部２２の間には、直線状の折り目３２が形成されている。
【００３８】
＜覆い部２０＞
次に、覆い部２０について、図１から図４を参照して説明する。
【００３９】
第１装着部１１と第２装着部１２と覆い部２０の材質とは、同じで作られている。しかし、覆い部２０を比較的柔らかい材質、例えばガーゼ等の積層体にする場合等では、第１装着部１１と第２装着部１２の材質は、覆い部２０を使用者Ｍの鼻と口を覆う形状になるように保持するために、覆い部２０の材質に比べて硬質である。
【００４０】
図１から図３に示すように、覆い部２０は、第１装着部１１と第２装着部１２により、メガネ１００の右側のつる１０６と左側のつる１０７に対して保持されることで、使用者Ｍの顔面の鼻と口を覆うことができる形状と大きさを有する。図４に示すように、覆い部２０は、口とその周辺部分を覆う口領域部分４０と、鼻を覆う鼻領域部分５０と、顎の下に配置される顎領域部分６０とを有する。
【００４１】
＜口領域部分４０＞
図４に示すように、口領域部分４０は、右部分４１と左部分４２を有する。右部分４１と左部分４２は連続しており、中央の折り目３３で区分けされている。右部分４１と左部分４２は折り目３３を中心にして左右対称形状を有しており、それぞれほぼ変形した四角形を形成している。右部分４１の右端部２１は、折り目３１により第１装着部１１の前端部１１Ｆに対して折り曲げることができる。同様にして、左部分４２の右端部２２は、折り目３２により第２装着部１２の前端部１２Ｆに対して折り曲げることができる。
【００４２】
＜鼻領域部分５０＞
図４に示すように、鼻領域部分５０は、三角形状の右部分５１と左部分５２を有している。右部分５１と左部分５２の下端部５１Ｂと５２Ｂは、それぞれ右部分４１と左部分４２の上端部４１Ａと４２Ａに対して折り目３４，３５により折り曲げることができる。右部分５１と左部分５２の内側傾斜部５１Ｃと５２Ｃは、図３に示すように、マスク１を使用する場合には突き当たることで立体的になって、使用者Ｍの鼻を覆うようになっている。
【００４３】
＜顎領域部分６０＞
図４に示すように、顎領域部分６０は、三角形状の右部分６１と左部分６２を有している。右部分６１の上端部６１Ｄと左部分６２の上端部６２Ｄは、それぞれ右部分４１と左部分４２の下端部４１Ｂと４２Ｂに対して、折り目３６，３７により折り曲げることができる。なお、マスク１が装着された場合に、通気性を良くし、しかもマスク１の軽量化を図るために、右部分６１と左部分６２には、例えばそれぞれ三角形状の孔６１Ｈ、６２Ｈが形成されている。
【００４４】
（マスク１の使用例）
次に、マスク１の使用例を、図６と図７を参照しながら、説明する。図６は、使用者Ｍがメガネ１００を掛けながらもマスク１を快適に装着している様子を示す斜め上から見た斜視図である。図７は、使用者Ｍがメガネ１００を掛けながらもマスク１を快適に装着している様子を示す側面図である。図６（Ａ）と図７（Ａ）では、マスク１を使用者Ｍの顔面に密着している通常の使用状態を示し、図６（Ｂ）と図７（Ｂ）では、マスク１を使用者Ｍの顔面から少し前側に離している待機使用状態を示す。
【００４５】
＜マスク１の通常の使用状態＞
まず、図６（Ａ）と図７（Ａ）に示すように、使用者Ｍがマスク１を通常の使用をする場合について、説明する。
【００４６】
図５に示すように、マスク１は、図４に示す折り目３１から３７を用いて、小さくしかも薄くなるように折り畳まれている。これにより、複数枚の状態のマスク１が、包装しや包装箱に簡単に梱包することができる。
【００４７】
使用者Ｍは、この折り畳まれたマスク１を図４に示す様に展開して、図３に示すうように、使用者Ｍがマスク１を立体化した後に、使用者Ｍが使用するメガネ１００に対して、立体化したマスク１を装着する。すなわち、図４に示す展開したマスク１は、折り目３１から３７を表面側に山形あるいは凸状になるように折り曲げることで、図３に示すように使用者Ｍの鼻と口の形状に沿うように立体化を行う。
【００４８】
そして、使用者Ｍは、図３に示すように、マスク１の第１つる通し部１３と第２つる通し部１４に、メガネ１００の左右のつる１０６，１０７をそれぞれ通すことで、マスク１をメガネ１００に対して吊るすようにして保持させる。これにより、マスク１は、鼻と口を覆うことができる立体構造を維持したまま、メガネ１００の左右のつる１０６，１０７に保持させることができる。マスク１の鼻領域部分５０の右部分５１と左部分５２は、メガネ１００のブリッジ１０５の下部に位置されている。
【００４９】
使用者Ｍは、マスク１をメガネ１００に保持した状態で、メガネ１００の左右のつる１０６，１０７を、図２に示すように左右の耳Ｅ、Ｅに掛けるとともに、ブリッジ１０５を鼻Ｎの上に載せる。使用者Ｍは、メガネ１００とともにマスク１を、図６（Ａ）と図７（Ａ）に示すように、通常の使用をすることで、口Ｓとその周辺部と鼻Ｎを立体的に完全に密着して覆うことができる。これにより、マスク１は、使用者Ｍの顔面に対して密着しているが、メガネ１００の左右のつる１０６，１０７は両耳Ｅ、Ｅには掛かっていても、マスク１自体は両耳Ｅ、Ｅには直接掛かっていない。このため、メガネ１００を長時間装着していても、使用者Ｍの耳Ｅ、Ｅが痛くならず、使用者Ｍがメガネ１００を掛けながらもマスク１を快適に装着することができる。
【００５０】
＜マスク１の待機使用状態＞
次に、図６（Ｂ）と図７（Ｂ）に示すように、マスク１の待機使用状態を説明する。
【００５１】
使用者Ｍは、必要に応じて、図６（Ａ）と図７（Ａ）に示すマスク１の通常の使用状態から、マスク１を図６（Ｂ）と図７（Ｂ）に示す待機使用状態に変えて保持することができる。
【００５２】
この際には、使用者Ｍは、図６（Ｂ）と図７（Ｂ）に示すように、マスク１の第１つる通し部１３と第２つる通し部１４を指で持ってメガネ１００の左右のつる１０６，１０７に沿ってＹ１方向にスライドさせる。これにより、マスク１は、使用者Ｍの顔面に密着された通常の使用状態から顔面より前方に離した待機使用状態で保持させることができる。マスク１を顔面から離した待機使用状態で保持できることで、例えばジョギング等の運動を行っている際に、息苦しくなるのを防ぐことができる。また、使用者Ｍが電話等で会話をする際には、発声動作が行い易くなる。このように、メガネ１００を装着した状態では、必要に応じてマスク１が顔面に触れないようにして、息がし易く、暑苦しくなく、化粧をしている女性の場合には化粧崩れの発生を防ぐことができる。
【００５３】
なお、マスク１を図６（Ｂ）と図７（Ｂ）に示す待機使用状態から図６（Ａ）と図７（Ａ）に示すマスク１の通常の使用状態に戻す場合には、使用者Ｍは、マスク１の第１つる通し部１３と第２つる通し部１４を指で持ってメガネ１００の左右のつる１０６，１０７に沿って、Ｙ１方向とは逆のＹ２方向にスライドさせるだけで良い。
【００５４】
上述したマスク１は、必要に応じて使用者の顔面に触れないように待機使用状態にすることが簡単にできるので、暑苦しくなく、化粧崩れを防げる。マスク１は、メガネ１００の左右のつる１０６，１０７に通して、左右のつる１０６，１０７に沿って前後に動かすことができる。このため、マスク１の前後位置を変えることで、息のし易さを調整することができる。
【００５５】
図１と図２に示すように、メガネ１００を掛けるだけで、マスク１の第１つる通し部１３と第２つる通し部１４は、左右のつる１０６，１０７と使用者Ｍの肌との間に挟まれる。このため、マスク１は左右のつる１０６，１０７に沿ってずれることがなく、メガネ１００に対するマスク１のＹ方向の位置を固定することができる。このため、マスク１の位置ズレを防ぐことができるので、マスク１の使用勝手が良い。
【００５６】
図４に示すように、顎領域部分６０の右部分６１と左部分６２には、それぞれ例えば三角形状の孔６１Ｈ、６２Ｈが形成されていることから、鼻息や口からの息をこの孔６１Ｈ、６２Ｈを通じて外部に放出することができる。このため、メガネ１００のレンズが鼻息や口からの息により曇らない。
【００５７】
マスク１の第１装着部１１と第２装着部１２と覆い部２０が、好ましくは丈夫な和紙で作られていると、次のようなメリットがある。
(1) マスク１が強度的に丈夫であり、マスク１の立体構造の型崩れが起こりにくいことから、マスク１が使用し易い。
(2) マスク１が湿気に強く、湿気が高くても型崩れがしにくい。
(3)マスク１は通気性があり、メガネ１００のレンズの曇りが起こりにくい。
【００５８】
マスク１の全体を同じ材質で作ることにより、マスクの製造が容易であり、製造のコストダウンが図れる。また、覆い部２０の材質は、第１装着部１１と第２装着部１２の材質に比べて硬い材質とすることで、第１装着部１１と第２装着部１２は、覆い部２０のメガネ１００に対する位置を確実に保持でき、しかも覆い部２０は使用者Ｍの鼻Ｎや口Ｓに対してやさしい柔らかい材質を採用することもでき、マスク１の使用感を向上できる。
【００５９】
マスク１は、メガネ１００の左右のつる１０６，１０７を利用してメガネ１００に対して移動可能に保持することができ、マスク１は直接耳Ｅに保持しなくて済み、メガネ１００とマスク１を長時間同時使用しても、耳Ｅが痛くなることを避けることができる。
【００６０】
マスク１は好ましくは和紙で作ることにより、マスク１が強度的に丈夫になり、マスク１の立体構造の型崩れが起こりにくいことから、マスク１が使用し易い。マスク１が湿気に強く、型崩れがしにくい。しかも、マスク１は通気性があり、鼻や口からの息によりメガネ１００のレンズの曇りが起こりにくい。マスク１は、折り目３１から３７を利用してコンパクトに折り畳むことができ、複数枚のマスク１をコンパクトに梱包あるいは包装することができる。
【００６１】
≪第２実施形態≫
図８および図９は本発明の第２実施形態のマスク１ａを示す。図８および図９においては、第１実施形態と相違する部分のみに符号を付して理解の便を図っている。
【００６２】
本実施形態のマスク１ａは、素材を厚い丈夫な和紙等の折り曲げ性や通気性に劣る素材を用いた例である。
【００６３】
マスク１ａの折り曲げ性を確保するために、第１実施形態の各折り目３１〜３７に代えて素材を貫通している貫通ミシン目３１ａ〜３７ａを形成している。第１実施形態の第１つる通し部１３に代えて、第１装着部１１の先端部に第１つる通し部１３ａとして、１対の鉤爪１３ｂを突設し、第１装着部１１の先端部の近傍に素材を貫通している２列５対の鉤爪１３ｂが挿通される爪受け目１３ｃを形成している。第１実施形態の第２つる通し部１４に代えて、第２装着部１２の先端部に第２つる通し部１４ａとして、１対の鉤爪１４ｂを突設し、第２装着部１２の先端部の近傍に素材を貫通している２列５対の鉤爪１４ｂが挿通される爪受け目１４ｃを形成している。各爪受け目１３ｃ、１４ｃの両端部には、各鉤爪１３ｂ、１４ｂを円滑に挿入可能とするために拡大円形部分を形成している。第１実施形態の通気性がある口領域部分４０に代えて、通気性を確保するために貫通通気部４１ａ、４２ａを形成している。貫通通気部４１ａ、４２ａは図８に示す形状に限られず、種々にデンザイするとよい。各貫通通気部４１ａ、４２ａの内側（人の顔面側）には、通気性を備えているとともに口領域部分４０より若干小型の薄い和紙等を素材とする内側通気性部材７０を添着するように形成されている。口領域部分４０には、内側通気性部材７０の端縁部分７２、７３を係止するために、半円形の係止用スリット７２ａ、７３ａを貫通ミシン目３１ａ、３２ａより内側の上下部分に形成している。本実施形態のマスク１ａの全体形状は、厚い和紙の素材にレーザ加工によって切り出し形成するとよい。
【００６４】
本実施形態のマスク１ａを使用する際には、図９に示すように、内側通気性部材７０を口領域部分４０の内側に当てつつ左右の端縁部分７２、７３を半円形の係止用スリット７２ａ、７３ａに挿入させて係止させる（なお、図９においては、理解の便のために内側通気性部材７０を口領域部分４０の外側に当てた状態を示している）。これにより内側通気性部材７０の中央の折り目７１が口領域部分４０の中央部の貫通ミシン目３３ａの内側に位置決めされる。その後、一方の第１つる通し部１３ａの１対の鉤爪１３ｂをいずれかの１対の爪受け目１３ｃに挿通させて第１つる通し部１３ａを形成し、他方の第２つる通し部１４ａの１対の鉤爪１４ｂをいずれかの１対の爪受け目１４ｃに挿通させて第２つる通し部１４ａを形成する。その後、各貫通ミシン目３１ａ〜３７ａに沿って折り曲げることにより所定形状のマスク１ａを形成する。その後は第１実施形態と同様にして通常使用状態および待機使用状態として使用するとよい。
【００６５】
また、本実施形態においては、内側通気性部材７０を交換することにより、マスク１ａ本体を何回も繰り返し利用することができる。また、通気性や芳香性等の性状をマスクの使用目的に応じて変化させた多種類の内側通気性部材７０を用意して、使用目的に応じてマスク１ａを利用するとよい。
【００６６】
本考案は、上記実施形態に限定されず、実用新案登録請求の範囲を逸脱しない範囲で種々の変更を行うことができる。
【００６７】
例えば、マスク１の軽量化を図り、メガネ１００のレンズが鼻息や口からの息により曇るのを防ぐために、マスク１の全体に渡って小さな通気孔を形成するようにしても良い。この小さな通気孔は、円形であってもその他の形状であっても良い。
【００６８】
マスク１の形状は、図示例のものに限らず、デザインの観点から任意に変更することができる。マスク１の左右の第１装着部１１と第２装着部１２の材質は、マスク１をメガネ１００に対して保持するためにある程度の剛性が必要であるが、覆い部２０は、比較的柔らかい材質で作ることもできる。
【符号の説明】
【００６９】
１、１ａ・・・マスク、１１、１１ａ・・・第１装着部、１２、１２ａ・・・第２装着部、１３、１３ａ・・・第１つる通し部、１４、１４ａ・・・第２つる通し部、２０・・・覆い部、３１〜３７・・・折り目、３１ａ〜３７ａ・・・貫通ミシン目、４０・・・口領域部分、５０・・・鼻を覆う鼻領域部分、６０・・・顎領域部分、１００・・・メガネ、１０１・・・右リム、１０２・・・左リム、１０３・・・右レンズ、１０４・・・左レンズ、１０５・・・ブリッジ、１０６・・・右側のつる、１０７・・・左側のつる、Ｍ・・・使用者、Ｎ・・・鼻、Ｓ・・・口
【図１】
0003227832.tif 000003
【図２】
0003227832.tif 000004
【図３】
0003227832.tif 000005
【図４】
0003227832.tif 000006
【図５】
0003227832.tif 000007
【図６】
0003227832.tif 000008
【図７】
0003227832.tif 000009
【図８】
0003227832.tif 000010
【図９】
0003227832.tif 000011